Podtech/llm-jp-corpus-v4-ja_patent huggingface dataset:
【手続補正書】
【提出日】令和3年2月22日(2021.2.22)
【手続補正１】
【補正対象書類名】特許請求の範囲
【補正対象項目名】全文
【補正方法】変更
【補正の内容】
【特許請求の範囲】
【請求項１】
回転型レオメータを用いて、角速度６．３ｒａｄ／ｓ、歪み量０．１％の条件下で計測した、−３５℃における複素粘度η＊が１５０Ｐａ・ｓ以下であり、前記回転型レオメータを用いて、角速度６．３ｒａｄ／ｓ、歪み量０．１〜１００％の条件下で計測した、−１０℃と−２５℃の２点間における複素粘度の温度勾配｜Δη＊｜が、１．０Ｐａ・ｓ／℃以下であり、石油由来のワックス及び重質燃料油を水素化分解して得られるボトム油を含む原料油を水素化異性化脱ろう処理及び水素化仕上げ処理して得られる鉱油（Ａ１）を含む基油（Ａ）と、
櫛形ポリマー（Ｂ１）を含む粘度指数向上剤（Ｂ）と、
モリブデン系摩擦調整剤（Ｃ）とを含む、潤滑油組成物であって、
モリブデン系摩擦調整剤（Ｃ）のモリブデン原子換算での含有量が、当該潤滑油組成物の全量基準で、５００質量ｐｐｍ超９００質量ｐｐｍ未満であり、
前記原料油中のワックスとボトム油との含有量比〔ワックス／ボトム油〕が、質量比で６０／４０〜９８／２であり、
櫛形ポリマー（Ｂ１）は、質量平均分子量（Ｍｗ）が３５万〜７０万であり、分子量分布（Ｍｗ／Ｍｎ）が１．１０〜６．００以下であり、ＳＳＩ（せん断安定性指数）が１５以下であり、マクロモノマーの数平均分子量（Ｍｎ）が２００以上であり、
ＮＯＡＣＫ値が１０質量％以下である、潤滑油組成物。
【請求項２】
前記鉱油（Ａ１）が、下記鉱油（Ａ１１）及び下記鉱油（Ａ１２）を含み、
・鉱油（Ａ１１）：前記複素粘度η＊が１５Ｐａ・ｓ未満であり、前記温度勾配｜Δη＊｜が、１．０Ｐａ・ｓ／℃以下であり、前記原料油を水素化異性化脱ろう処理及び水素化仕上げ処理して得られる。
・鉱油（Ａ１２）：前記複素粘度η＊が１５〜１５０Ｐａ・ｓであり、前記温度勾配｜Δη＊｜が、１．０Ｐａ・ｓ／℃以下であり、前記原料油を水素化異性化脱ろう処理及び水素化仕上げ処理して得られる。
前記鉱油（Ａ１１）と前記鉱油（Ａ１２）との含有量比［（Ａ１１）／（Ａ１２）］が、５５／４５〜９５／５である、請求項１に記載の潤滑油組成物。
【請求項３】
基油（Ａ１）の１００℃における動粘度が３．８〜５．６ｍｍ２／ｓである、請求項１又は２に記載の潤滑油組成物。
【請求項４】
基油（Ａ）の全量中の鉱油（Ａ１）の含有割合が、７０〜１００質量％である、請求項１〜３のいずれか一項に記載の潤滑油組成物。
【請求項５】
粘度指数向上剤（Ｂ）の全量中の櫛形ポリマー（Ｂ１）の含有割合が、８０〜１００質量％である、請求項１〜４のいずれか一項に記載の潤滑油組成物。
【請求項６】
櫛形ポリマー（Ｂ１）の含有量が、前記潤滑油組成物の全量基準で、０．１〜３．２質量％である、請求項１〜５のいずれか一項に記載の潤滑油組成物。
【請求項７】
櫛形ポリマー（Ｂ１）１００質量部に対する、モリブデン系摩擦調整剤（Ｃ）のモリブデン原子換算での含有量が、１．０〜１０．０質量部である、請求項１〜６のいずれか一項に記載の潤滑油組成物。
【請求項８】
１００℃における高温高せん断粘度（ＨＴＨＳ粘度）が５．５ｍＰａ・ｓ以下である、請求項１〜７のいずれか一項に記載の潤滑油組成物。
【請求項９】
ピストンリング及びライナーを備えた摺動機構を有し、且つ、請求項１〜８のいずれか一項に記載の潤滑油組成物を含む、内燃機関。
【請求項１０】
ピストンリング及びライナーを備えた摺動機構を有する内燃機関の潤滑方法であって、当該ピストンリング及びライナーを、請求項１〜８のいずれか一項に記載の潤滑油組成物を用いて潤滑する、内燃機関の潤滑方法。
【手続補正書】
【提出日】令和3年5月11日(2021.5.11)
【手続補正１】
【補正対象書類名】特許請求の範囲
【補正対象項目名】全文
【補正方法】変更
【補正の内容】
【特許請求の範囲】
【請求項１】
聴覚機器であって、
音声を受信するとともに、当該受信した音声を対応する第１のオーディオ信号に変換するマイクロフォンと、
前記第１のオーディオ信号を処理して、当該補聴機器のユーザの聴力損失を補う第２のオーディオ信号を得る信号プロセッサと、
前記信号プロセッサの出力に接続され、前記第２のオーディオ信号を出力音声信号に変換するスピーカと、
無線通信のために前記信号プロセッサに接続された無線通信ユニットと、
前記無線通信ユニットに接続され、電磁場の放射および受信のために構成され、複数のアンテナ素子とスイッチ装置とを備えるアンテナシステムと、
を備え、
前記スイッチ装置は、スイッチ制御情報に応じて、前記複数のアンテナ素子の内の第１のアンテナ素子を前記無線通信ユニットに接続し、前記複数のアンテナ素子の内の少なくとも第２のアンテナ素子を、前記聴覚機器の接地電位に接続するように構成される、聴覚機器。
【請求項２】
前記第１のアンテナ素子は、前記聴覚機器の第１の側に設けられ、前記第２のアンテナ素子は、前記聴覚機器の第２の側に設けられる、請求項１に記載の聴覚機器。
【請求項３】
前記補聴機器が、ユーザの耳の動作位置に装着されると、前記聴覚機器の前記第１の側がユーザの頭部に隣接する、請求項２に記載の聴覚機器。
【請求項４】
前記聴覚機器の設定の際に、前記スイッチ装置に前記スイッチ制御情報が提供される、請求項１から３のいずれか一項に記載の聴覚機器。
【請求項５】
前記聴覚機器がユーザの右耳または左耳に装着されるように設定されたという判定に応じて、前記スイッチ制御情報が提供される、請求項１から４のいずれか一項に記載の聴覚機器。
【請求項６】
前記スイッチ装置は、単一又は限定数の切替動作を実行するように構成される、請求項１から５のいずれか一項に記載の聴覚機器。
【請求項７】
前記聴覚機器は、少なくとも第３のアンテナ素子をさらに備え、前記第３のアンテナ素子は前記聴覚機器の前記接地電位に接続される、請求項１から６のいずれか一項に記載の聴覚機器。
【請求項８】
前記スイッチ制御情報は、電気的な部分を含む、請求項１から７のいずれか一項に記載の聴覚機器。
【請求項９】
前記スイッチ制御情報は、機械的な部分を含む、請求項１から８のいずれか一項に記載の聴覚機器。
【請求項１０】
前記聴覚機器は、コネクタ受入部とコネクタ要素とを備え、
前記コネクタ要素は、機械的スイッチ制御情報を提供するために、前記コネクタ受入部を介して前記スイッチ装置に係合するように構成される、請求項９に記載の聴覚機器。
【請求項１１】
前記コネクタ要素は、耳挿入レシーバコネクタ要素、イヤフックコネクタ又は管状コネクタである、請求項１０に記載の聴覚機器。
【請求項１２】
前記聴覚機器は、所期の動作位置に設けられると、ユーザの耳の後ろに位置するように構成された少なくとも１つの耳かけモジュールを含み、
前記耳かけモジュールは、少なくとも前記信号プロセッサと少なくとも１つのアンテナ素子とを備える、請求項１から１１のいずれか一項に記載の聴覚機器。
【請求項１３】
聴覚機器を設定する方法であって、前記聴覚機器は、
音声を受信し、当該受信した音声を対応する第１のオーディオ信号に変換するマイクロフォンと、
前記第１のオーディオ信号を処理して、当該補聴機器のユーザの聴力損失を補う第２のオーディオ信号を得る信号プロセッサと、
前記信号プロセッサの出力に接続され、前記第２のオーディオ信号を出力音声信号に変換するスピーカと、
無線データ通信のために前記信号プロセッサに接続され無線通信ユニットと、
電磁場の放射および電磁場の受信のためのアンテナシステムであって、複数のアンテナ素子とスイッチ装置とを備える前記アンテナシステムと、を備え、
前記方法は、
前記聴覚機器の所期の動作位置を決定することと、
前記聴覚機器の前記決定された所期の動作位置に応じて、前記スイッチ装置にスイッチ制御情報を提供することと、
前記受信したスイッチ制御情報に応じて、前記複数のアンテナ素子の内の第１のアンテナ素子が前記無線通信ユニットに接続され、前記複数のアンテナ素子の内の第２のアンテナ素子が前記聴覚機器の接地電位に接続されるように、前記スイッチ装置を切り替えることと、を含む方法。
【請求項１４】
前記スイッチ装置は、単一の又は限定数の切替動作を実行するように構成される、請求項１３に記載の方法。
【手続補正書】
【提出日】令和3年6月14日(2021.6.14)
【手続補正１】
【補正対象書類名】特許請求の範囲
【補正対象項目名】全文
【補正方法】変更
【補正の内容】
【特許請求の範囲】
【請求項１】
互いに反対側に位置する第１面及び第２面を有し、前記第１面に隣接するウェル領域を有し、第１導電型である半導体基板と、
ここで、前記半導体基板は、前記第２面に前記第１面に陥没された複数のリセスを有し、
前記ウェル領域の少なくとも一部を貫通するように、前記第１面から前記半導体基板の厚み方向に沿って延長され、互いに離隔されている第１垂直伝達ゲート及び第２垂直伝達ゲートと、
前記ウェル領域と前記第２面との間の前記半導体基板内に配置され、前記半導体基板の厚み方向に、前記第１垂直伝達ゲート及び前記第２垂直伝達ゲートと重畳し、前記第１導電型と異なる第２導電型である光電変換領域と、
前記半導体基板の前記第１面上に配置された配線構造体と、
前記半導体基板の前記第２面上に順次に積層された、負固定電荷層、反射防止層、及びマイクロレンズと、
前記複数のリセスに配置され、絶縁物からなる複数の散乱誘導層と、を含み、
前記負固定電荷層は、前記複数の散乱誘導層と、前記半導体基板の前記第２面とが離隔されるように、前記複数の散乱誘導層を覆い包むことを特徴とするイメージセンサ。
【請求項２】
前記光電変換領域は、第１光電変換領域、及び前記第１光電変換領域と前記ウェル領域との間に配置され、前記第１光電変換領域より小さい値の幅を有する第２光電変換領域を含むことを特徴とする請求項１に記載のイメージセンサ。
【請求項３】
前記第２光電変換領域は、前記半導体基板の厚み方向に、前記第１垂直伝達ゲート及び前記第２垂直伝達ゲートと重畳されることを特徴とする請求項２に記載のイメージセンサ。
【請求項４】
前記第２光電変換領域の不純物濃度は、前記第１光電変換領域の不純物濃度より濃い値を有することを特徴とする請求項２に記載のイメージセンサ。
【請求項５】
前記第１光電変換領域は、前記半導体基板の厚み方向に、前記第２光電変換領域の全てと重畳されることを特徴とする請求項２に記載のイメージセンサ。
【請求項６】
前記光電変換領域の周囲を取り囲み、前記半導体基板の前記第２面から前記第１面に向けて延長されるように配置されたＤＴＩ（ｄｅｅｐ  ｔｒｅｎｃｈ  ｉｎｓｕｌａｔｏｒ）構造物をさらに含むことを特徴とする請求項１に記載のイメージセンサ。
【請求項７】
前記配線構造体上に配置された背面反射層をさらに含むことを特徴とする請求項１に記載のイメージセンサ。
【請求項８】
前記第２導電型を有し、前記第１面に隣接する前記ウェル領域に互いに離隔して配置された第１電荷保存領域及び第２電荷保存領域を含むことを特徴とする請求項１に記載のイメージセンサ。
【請求項９】
前記第１電荷保存領域は、前記第１垂直伝達ゲートの、前記第２垂直伝達ゲートに対して反対となる側に配置され、
前記第２電荷保存領域は、前記第２垂直伝達ゲートの、前記第１垂直伝達ゲートに対して反対となる側に配置されることを特徴とする請求項８に記載のイメージセンサ。
【請求項１０】
前記第１垂直伝達ゲート及び前記第２垂直伝達ゲートには、互いに１８０゜の位相差を有するパルス電圧が印加されることを特徴とする請求項１に記載のイメージセンサ。
【請求項１１】
配線構造体と、
デモデュレーション領域を有し、前記配線構造体上に前記配線構造体に接触して配置されるウェル領域と、
前記ウェル領域上に配置される光電変換領域と、
前記光電変換領域上に配置されるマイクロレンズと、
前記ウェル領域の少なくとも一部を貫通するように、前記ウェル領域の厚み方向に沿って延長される垂直伝達ゲート、及び前記垂直伝達ゲートを各々取り囲む伝達ゲート絶縁膜を各々含み、前記デモデュレーション領域を挟んで互いに離隔されるように配置された少なくとも２個の伝達ゲート構造体と、
前記光電変換領域に隣接する前記ウェル領域の前記デモデュレーション領域以外の一部分に、前記少なくとも２個の伝達ゲート構造体と離隔されて配置され、前記ウェル領域の不純物濃度より濃い値の不純物濃度を有する複数の第１バリア不純物領域と、を含むことを特徴とするイメージセンサ。
【請求項１２】
前記配線構造体に隣接する前記デモデュレーション領域の一部分に配置され、前記ウェル領域の不純物濃度より濃い値の不純物濃度を有する第２バリア不純物領域をさらに含むことを特徴とする請求項１１に記載のイメージセンサ。
【請求項１３】
前記第２バリア不純物領域に接する、前記デモデュレーション領域の一部分は、前記ウェル領域及び前記第２バリア不純物領域と異なる導電型を有することを特徴とする請求項１２に記載のイメージセンサ。
【請求項１４】
前記光電変換領域は、
前記マイクロレンズに隣接して配置される第１光電変換領域、及び前記ウェル領域に隣接して配置される第２光電変換領域からなり、
前記第１光電変換領域の不純物濃度は、前記第２光電変換領域の不純物濃度より薄い値を有し、前記第１光電変換領域の幅は、前記第２光電変換領域の幅より広い値を有することを特徴とする請求項１１に記載のイメージセンサ。
【請求項１５】
ＢＳＩ（ｂａｃｋ  ｓｉｄｅ  ｉｌｌｕｍｉｎａｔｉｏｎ、背面照明）構造を有するイメージセンサであって、
第１面及び前記第１面の反対側に位置する第２面を有し、
前記第１面に隣接するウェル領域を有する第１導電型である半導体基板と、
ここで、前記半導体基板は前記第２面に前記第１面に陥没された複数のリセスを有し、
前記ウェル領域の少なくとも一部を貫通するように、前記第１面から前記第２面に向けて延長され、互いに離隔されている複数の垂直伝達ゲートと、
前記第２面に隣接する半導体基板内に配置される第１光電変換領域と、
前記第１光電変換領域と前記ウェル領域との間に配置され、前記第１光電変換領域より小さい値の幅、及び大きい値の不純物濃度を有し、前記第１導電型と異なる第２導電型である第２光電変換領域と、
前記半導体基板の前記第２面上に順次に積層された、負固定電荷層、反射防止層、及びマイクロレンズと、
前記複数のリセスに配置され、絶縁物からなる複数の散乱誘導層と、を含み、
前記負固定電荷層は、前記複数の散乱誘導層と、前記半導体基板の前記第２面とが離隔されるように、前記複数の散乱誘導層を覆い包むことを特徴とするイメージセンサ。
【請求項１６】
前記半導体基板の前記第２面は、光の入射面であることを特徴とする請求項１５に記載のイメージセンサ。
【請求項１７】
前記第２光電変換領域は、前記複数の垂直伝達ゲートの各々の全体と前記半導体基板の厚み方向に重畳され、前記第１光電変換領域は、前記第２光電変換領域の全てと重畳されることを特徴とする請求項１５に記載のイメージセンサ。
【手続補正書】
【提出日】令和3年8月6日(2021.8.6)
【手続補正１】
【補正対象書類名】特許請求の範囲
【補正対象項目名】全文
【補正方法】変更
【補正の内容】
【特許請求の範囲】
【請求項１】
CD137に結合する能力を有するリポカリンムテインであって、SEQ ID NO: 5〜20からなる群より選択されるアミノ酸配列に対して少なくとも85%の配列同一性を有するアミノ酸配列を含み、N末および/またはC末において、免疫グロブリンのFc部分、免疫グロブリンのCH3ドメイン、免疫グロブリンのCH4ドメイン、抗体、抗体フラグメント、オリゴマー化ドメイン、または毒素に融合されている、リポカリンムテイン。
【請求項２】
SEQ ID NO:5〜20からなる群より選択されるアミノ酸配列に対して少なくとも90％の配列同一性を有するアミノ酸配列を含む、請求項1記載のムテイン。
【請求項３】
SEQ ID NO:5〜20からなる群より選択されるアミノ酸配列に対して少なくとも95％の配列同一性を有するアミノ酸配列を含む、請求項1記載のムテイン。
【請求項４】
SEQ ID NO:5〜20からなる群より選択されるアミノ酸配列を含む、請求項1記載のムテイン。
【請求項５】
SEQ ID NO:13のアミノ酸配列に対して少なくとも85％の配列同一性を有するアミノ酸配列を含む、請求項1記載のムテイン。
【請求項６】
SEQ ID NO:13のアミノ酸配列に対して少なくとも90％の配列同一性を有するアミノ酸配列を含む、請求項1記載のムテイン。
【請求項７】
SEQ ID NO:13のアミノ酸配列に対して少なくとも95％の配列同一性を有するアミノ酸配列を含む、請求項1記載のムテイン。
【請求項８】
SEQ ID NO:13のアミノ酸配列を含む、請求項1記載のムテイン。
【請求項９】
N末において、免疫グロブリンのFc部分、免疫グロブリンのCH3ドメイン、免疫グロブリンのCH4ドメイン、抗体、抗体フラグメント、オリゴマー化ドメイン、または毒素に融合されている、請求項1〜8のいずれか一項記載のムテイン。
【請求項１０】
N末において、免疫グロブリンのFc部分、免疫グロブリンのCH3ドメイン、または免疫グロブリンのCH4ドメインに融合されている、請求項9記載のムテイン。
【請求項１１】
2コピーのムテインが抗体のFc領域に連結されている、請求項1〜8のいずれか一項記載のムテイン。
【請求項１２】
KDが約300nM以下である親和性で、CD137に結合する能力を有する、請求項1〜11のいずれか一項記載のムテイン。
【請求項１３】
請求項1〜12のいずれか一項記載のムテインをコードするヌクレオチド配列を含む核酸分子。
【請求項１４】
請求項13記載の核酸分子を含有する宿主細胞。
【請求項１５】
原核細胞または真核細胞である、請求項14記載の宿主細胞。
【請求項１６】
大腸菌（Escherichia coli）（E. coli）、枯草菌（Bacillus subtilis）、サッカロミセス・セレビシエ（Saccharomyces cerevisiae）、ピキア・パストリス（Pichia pastoris）、SF9またはHigh5昆虫細胞、不死化哺乳動物細胞株、HeLa細胞、CHO細胞、および初代哺乳動物細胞からなる群より選択される、請求項14または15記載の宿主細胞。
【請求項１７】
ムテインをコードする核酸から出発してムテインが生産される、請求項1〜12のいずれか一項記載のムテインを生産する方法。
【請求項１８】
請求項1〜12のいずれか一項記載のムテイン、請求項13記載の核酸分子、または請求項14〜16のいずれか一項記載の宿主細胞を含む、癌の治療剤。
【請求項１９】
治療剤がムテインを含み、該ムテインが、N末および/またはC末において、免疫グロブリンのFc部分、免疫グロブリンのCH3ドメイン、免疫グロブリンのCH4ドメイン、抗体、抗体フラグメント、オリゴマー化ドメイン、または毒素に融合されている、請求項18記載の治療剤。
【請求項２０】
治療剤がムテインを含み、2コピーのムテインが抗体のFc領域に連結されている、請求項18記載の治療剤。
【手続補正書】
【提出日】令和3年5月18日(2021.5.18)
【手続補正１】
【補正対象書類名】特許請求の範囲
【補正対象項目名】全文
【補正方法】変更
【補正の内容】
【特許請求の範囲】
【請求項１】
グラム陽性細菌において活性な遺伝子間領域を含む組換え核酸であって、前記遺伝子間領域が前記グラム陽性細菌に対して外因性の遺伝子の５’末端に結合されて、前記遺伝子間領域が前記外因性の遺伝子に作動可能に連結しており、前記遺伝子間領域が、
ａ）  配列番号１〜１３のいずれか１つの配列を含む核酸、または配列番号１〜１３のいずれか１つの配列からなる核酸、
ｂ）  配列番号１、２および８のいずれか１つの配列と比較して、１つのミスマッチまたは１つのヌクレオチドの欠失もしくは挿入を含む核酸、
ｃ）  配列番号３〜４および配列番号９〜１０のいずれか１つの配列と比較して、１つ、２つもしくは３つのミスマッチまたは１つ、２つもしくは３つのヌクレオチドの欠失もしくは挿入を含む核酸、または
ｄ）  配列番号５〜７および配列番号１１〜１３のいずれか１つの配列と比較して、１つ、２つ、３つもしくは４つのミスマッチまたは１つ、２つ、３つもしくは４つのヌクレオチドの欠失もしくは挿入を含む核酸
である、組換え核酸。
【請求項２】
前記遺伝子間領域が、前記グラム陽性細菌の１つ以上の内因性の遺伝子間領域から選択される、請求項１に記載の組換え核酸。
【請求項３】
前記グラム陽性細菌がラクトコッカス・ラクティス（Lactococcus lactis）である、請求項１または２のいずれかに記載の組換え核酸。
【請求項４】
請求項１〜３のいずれか１項に記載の組換え核酸を含むベクター。
【手続補正書】
【提出日】令和3年10月12日(2021.10.12)
【手続補正１】
【補正対象書類名】特許請求の範囲
【補正対象項目名】全文
【補正方法】変更
【補正の内容】
【特許請求の範囲】
【請求項１】
演算制御部、第１記憶部及び第２記憶部を内蔵したマイクロプロセッサを備えた遊技機であって、
前記演算制御部は、１バイトで構成されたレジスタを有し、遊技者に取って有利な特別遊技を制御可能であり、
前記第１記憶部は、前記演算制御部による制御において使用可能な、複数種の命令及び複数のデータで構成されたプログラムを記憶可能であり、
前記複数種の命令には、特定のシフト命令が含まれ、
前記特定のシフト命令では、オペランドとして、命令、前記レジスタを示す情報、及び、前記レジスタ内の所定のビット位置がこの順で配置され、
前記演算制御部により前記特定のシフト命令が実行されると、前記レジスタ内の前記所定のビット位置から前記命令が示す方向の最端ビット位置までの領域に格納された値を、前記命令が示す方向にシフトさせることが可能であり、
前記特別遊技の作動中に行われる所定の抽籤で使用される所定のテーブルデータであって、複数種の情報が格納された１バイトの複合データが記憶されている前記所定のテーブルデータから、前記複合データ内のビットデータを取得する場合に、前記特定のシフト命令を使用することが可能であり、
遊技状態には、少なくとも遊技者にとって有利となる報知を行う報知遊技状態と、報知を行うことが無い通常遊技状態とがあり、
前記特別遊技の作動中以外に行われる前記所定の抽籤で使用される前記所定のテーブルデータ以外のテーブルデータにおいても前記所定のテーブルデータと同じ構成で前記複合データが記憶され、
前記所定のテーブルデータは、前記報知遊技状態及び前記通常遊技状態で作動する前記特別遊技で使用される
ことを特徴とする遊技機。
【手続補正２】
【補正対象書類名】明細書
【補正対象項目名】００１１
【補正方法】変更
【補正の内容】
【００１１】
演算制御部（例えば、後述のメインＣＰＵ１０１）、第１記憶部（例えば、後述のメインＲＯＭ１０２）及び第２記憶部（例えば、後述のメインＲＡＭ１０３）を内蔵したマイクロプロセッサを備えた遊技機であって、
前記演算制御部は、１バイトで構成されたレジスタ（例えば、後述の汎用レジスタ）を有し、遊技者に取って有利な特別遊技（例えば、後述の「通常ＢＢ」，「ＡＲＴ中ＢＢ」）を制御可能であり、
前記第１記憶部は、前記演算制御部による制御において使用可能な、複数種の命令及び複数のデータで構成されたプログラムを記憶可能であり、
前記複数種の命令には、特定のシフト命令（例えば、後述の「ＳＬＢＩＴ  Ａ，ｎ」、「ＳＲＢＩＴ  Ａ，ｎ」等）が含まれ、
前記特定のシフト命令では、オペランドとして、命令（例えば、後述の「ＳＬＢＩＴ」、「ＳＲＢＩＴ」）、前記レジスタを示す情報、及び、前記レジスタ内の所定のビット位置（例えば、後述の指定ビット位置ｎ）がこの順で配置され、
前記演算制御部により前記特定のシフト命令が実行されると、前記レジスタ内の前記所定のビット位置から前記命令が示す方向の最端ビット位置までの領域に格納された値を、前記命令が示す方向にシフトさせることが可能であり、
前記特別遊技の作動中に行われる所定の抽籤（例えば、後述のＢＢ中ＡＲＴ抽籤）で使用される所定のテーブルデータ（例えば、後述のＢＢ中ＡＲＴ抽籤テーブル）であって、複数種の情報が格納された１バイトの複合データが記憶されている前記所定のテーブルデータから、前記複合データ内のビットデータを取得する場合に、前記特定のシフト命令を使用することが可能であり、
遊技状態には、少なくとも遊技者にとって有利となる報知を行う報知遊技状態（例えば、後述のＡＲＴ状態）と、報知を行うことが無い通常遊技状態（例えば、後述の通常状態）とがあり、
前記特別遊技の作動中以外に行われる前記所定の抽籤で使用される前記所定のテーブルデータ以外のテーブルデータにおいても前記所定のテーブルデータと同じ構成で前記複合データが記憶され、
前記所定のテーブルデータは、前記報知遊技状態及び前記通常遊技状態で作動する前記特別遊技で使用される
ことを特徴とする遊技機。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正書】
【提出日】令和3年10月12日(2021.10.12)
【手続補正１】
【補正対象書類名】特許請求の範囲
【補正対象項目名】全文
【補正方法】変更
【補正の内容】
【特許請求の範囲】
【請求項１】
演算制御部、第１記憶部及び第２記憶部を内蔵したマイクロプロセッサを備えた遊技機であって、
前記第１記憶部は、前記演算制御部による制御において使用可能な、複数種の命令及び複数のデータで構成されたプログラムを記憶可能であり、
前記複数種の命令には、交換命令が含まれ、
前記交換命令では、オペランドとして、命令、第１交換先を示す情報、及び、第２交換先を示す情報がこの順で配置され、
前記演算制御部により前記交換命令が実行されると、前記第１交換先に格納されているデータと、前記第２交換先に格納されているデータとが交換され、
前記第１記憶部は、遊技の進行に応じて処理が実行されるメイン処理プログラムと、一定周期で繰り返し処理が実行される周期処理プログラムとが記憶され、
前記交換命令は、前記メイン処理プログラム内の遊技媒体のチェック処理において、前記遊技媒体の投入状態が正常であるか否かを判定する処理で使用され、
前記周期処理プログラムは、前記メイン処理プログラム内の前記遊技媒体のチェック処理とは異なる遊技媒体のチェック処理を行う
ことを特徴とする遊技機。
【手続補正２】
【補正対象書類名】明細書
【補正対象項目名】００１１
【補正方法】変更
【補正の内容】
【００１１】
演算制御部（例えば、後述のメインＣＰＵ１０１）、第１記憶部（例えば、後述のメインＲＯＭ１０２）及び第２記憶部（例えば、後述のメインＲＡＭ１０３）を内蔵したマイクロプロセッサを備えた遊技機であって、
前記第１記憶部は、前記演算制御部による制御において使用可能な、複数種の命令及び複数のデータで構成されたプログラムを記憶可能であり、
前記複数種の命令には、交換命令（例えば、後述の「ＥＸ  （ｓｓ）、ｒ」等）が含まれ、
前記交換命令では、オペランドとして、命令（例えば、後述の「ＥＸ」）、第１交換先を示す情報（例えば、後述の「（ｓｓ）」）、及び、第２交換先を示す情報（例えば、後述の「ｒ」）がこの順で配置され、
前記演算制御部により前記交換命令が実行されると、前記第１交換先に格納されているデータと、前記第２交換先に格納されているデータとが交換され、
前記第１記憶部は、遊技の進行に応じて処理が実行されるメイン処理プログラムと、一定周期（例えば、後述の１．１１７２ｍｓｅｃ周期）で繰り返し処理が実行される周期処理プログラムとが記憶され、
前記交換命令は、前記メイン処理プログラム内の遊技媒体のチェック処理（例えば、後述のメダル投入チェック処理）において、前記遊技媒体の投入状態が正常であるか否かを判定する処理で使用され、
前記周期処理プログラムは、前記メイン処理プログラム内の前記遊技媒体のチェック処理とは異なる遊技媒体のチェック処理（例えば、後述の投入メダル通過チェック処理）を行う
ことを特徴とする遊技機。
【手続補正３】
【補正対象書類名】明細書
【補正対象項目名】００１２
【補正方法】削除
【補正の内容】
【手続補正書】
【提出日】令和3年10月12日(2021.10.12)
【手続補正１】
【補正対象書類名】特許請求の範囲
【補正対象項目名】全文
【補正方法】変更
【補正の内容】
【特許請求の範囲】
【請求項１】
演算制御部、第１記憶部及び第２記憶部を内蔵したマイクロプロセッサを備えた遊技機であって、
前記演算制御部は、
前記第２記憶部内に配置されたスタック領域のアドレスが保存されるスタックポインタと、
実行すべき処理コードのアドレスが保存されるプログラムカウンタと、を有し、
前記第１記憶部は、前記演算制御部による制御において使用可能な、複数種の命令及び複数のデータで構成されたプログラムを記憶可能であり、
前記複数種の命令には、特定のコール命令及び特定のリターン命令が含まれ、
前記特定のコール命令では、オペランドとして、命令、及び、呼び出し先に関する情報がこの順で配置され、前記特定のリターン命令では、オペランドとして、命令のみが配置され、
前記演算制御部により前記特定のコール命令が実行されると、割込み禁止の制御が行われ、処理コードの戻り先のアドレスが前記スタックポインタを使用して前記スタック領域に格納され、且つ、前記呼び出し先のアドレスが前記プログラムカウンタにセットされ、
前記特定のコール命令の実行により行われる前記割込み禁止の制御では、割込み信号の受付を許可／禁止する回路を禁止状態にセットし、
前記演算制御部により前記特定のリターン命令が実行されると、割込み制御が行われ、処理コードの戻り先のアドレスが前記スタックポインタを使用して前記スタック領域から取得され、当該取得された前記戻り先のアドレスが前記プログラムカウンタにセットされ、
前記特定のリターン命令の実行により行われる前記割込み制御では、割込み信号の受付を許可／禁止する回路を許可又は禁止のいずれか一方の状態にセットし、
前記特定のコール命令は、単位遊技毎にループするメインループ処理において、遊技機の外部に出力する制御信号を生成する外部制御信号生成処理を呼び出す場合に使用可能であり、
前記外部制御信号生成処理は、複数の表示列に対する停止操作の順序に関するデータに基づいて、前記制御信号を生成し、
前記第１記憶部は、遊技の進行に関与するプログラムが記憶された遊技用領域と、遊技の進行に関与しないプログラムが記憶された規定外領域とを有し、
前記特定のリターン命令は、前記規定外領域に記憶されたプログラムから前記遊技用領域に記憶されたプログラムに処理を戻す場合に使用可能であり、
前記規定外領域に記憶された複数のプログラムのうち、前記遊技用領域に記憶されたメインループプログラムに処理が戻るプログラムは、前記メインループプログラムから呼び出される前記遊技用領域に記憶されたサブルーチンプログラムに処理が戻るプログラムと異なる
ことを特徴とする遊技機。
【手続補正２】
【補正対象書類名】明細書
【補正対象項目名】００１１
【補正方法】変更
【補正の内容】
【００１１】
演算制御部（例えば、後述のメインＣＰＵ１０１）、第１記憶部（例えば、後述のメインＲＯＭ１０２）及び第２記憶部（例えば、後述のメインＲＡＭ１０３）を内蔵したマイクロプロセッサを備えた遊技機であって、
前記演算制御部は、
前記第２記憶部内に配置されたスタック領域のアドレスが保存されるスタックポインタ（例えば、後述のスタックポインタＳＰ）と、
実行すべき処理コードのアドレスが保存されるプログラムカウンタ（例えば、後述のＰＣレジスタ）と、を有し、
前記第１記憶部は、前記演算制御部による制御において使用可能な、複数種の命令及び複数のデータで構成されたプログラムを記憶可能であり、
前記複数種の命令には、特定のコール命令（例えば、後述の「ＣＡＬＬＤ  ｍｎ」等）及び特定のリターン命令（例えば、後述の「ＲＥＴＤ」、「ＲＥＴＥ」）が含まれ、
前記特定のコール命令では、オペランドとして、命令（例えば、後述の「ＣＡＬＬＤ」等）、及び、呼び出し先に関する情報（例えば、後述の「ｍｎ」）がこの順で配置され、前記特定のリターン命令では、オペランドとして、命令（例えば、後述の「ＲＥＴＤ」、「ＲＥＴＥ」）のみが配置され、
前記演算制御部により前記特定のコール命令が実行されると、割込み禁止の制御が行われ、処理コードの戻り先のアドレスが前記スタックポインタを使用して前記スタック領域に格納され、且つ、前記呼び出し先のアドレスが前記プログラムカウンタにセットされ、
前記特定のコール命令の実行により行われる前記割込み禁止の制御では、割込み信号の受付を許可／禁止する回路（例えば、後述の割込みイネーブルフリップフロップ）を禁止状態にセットし、
前記演算制御部により前記特定のリターン命令が実行されると、割込み制御が行われ、処理コードの戻り先のアドレスが前記スタックポインタを使用して前記スタック領域から取得され、当該取得された前記戻り先のアドレスが前記プログラムカウンタにセットされ、
前記特定のリターン命令の実行により行われる前記割込み制御では、割込み信号の受付を許可／禁止する回路を許可又は禁止のいずれか一方の状態にセットし、
前記特定のコール命令は、単位遊技毎にループするメインループ処理において、遊技機の外部に出力する制御信号を生成する外部制御信号生成処理（例えば、後述の第２インターフェースボード制御処理）を呼び出す場合に使用可能であり、
前記外部制御信号生成処理は、複数の表示列に対する停止操作の順序に関するデータ（例えば、後述のナビデータ）に基づいて、前記制御信号を生成し、
前記第１記憶部は、遊技の進行に関与するプログラムが記憶された遊技用領域（例えば、後述の遊技用ＲＯＭ領域）と、遊技の進行に関与しないプログラムが記憶された規定外領域（例えば、後述の規定外エリア）とを有し、
前記特定のリターン命令は、前記規定外領域に記憶されたプログラムから前記遊技用領域に記憶されたプログラムに処理を戻す場合に使用可能であり、
前記規定外領域に記憶された複数のプログラムのうち、前記遊技用領域に記憶されたメインループプログラムに処理が戻るプログラムは、前記メインループプログラムから呼び出される前記遊技用領域に記憶されたサブルーチンプログラムに処理が戻るプログラムと異なる
ことを特徴とする遊技機。
【手続補正３】
【補正対象書類名】明細書
【補正対象項目名】００１２
【補正方法】削除
【補正の内容】
【手続補正書】
【提出日】令和3年10月12日(2021.10.12)
【手続補正１】
【補正対象書類名】特許請求の範囲
【補正対象項目名】全文
【補正方法】変更
【補正の内容】
【特許請求の範囲】
【請求項１】
演算制御部、第１記憶部及び第２記憶部を内蔵したマイクロプロセッサを備えた遊技機であって、
前記演算制御部は、
１バイトで構成されたレジスタと、
入賞数カウンタに遊技価値の払出数がセットされたことを契機として行われる遊技価値払出数チェック処理と、を有し、
前記第１記憶部は、前記演算制御部による制御において使用可能な、複数種の命令及び複数のデータで構成されたプログラムを記憶可能であり、
前記複数種の命令には、特定の比較読み出し命令が含まれ、
前記特定の比較読み出し命令では、オペランドとして、命令、比較対象の格納先を示す情報、及び、前記レジスタにセットされた閾値又は直値でセットされた閾値に関する情報がこの順で配置され、
前記演算制御部により前記特定の比較読み出し命令が実行されると、前記比較対象の格納先に格納されている値が前記閾値と比較され、当該比較結果に応じて、前記比較対象の格納先に格納されている値に対して特定の演算が行われ、当該演算の結果が前記比較対象の格納先に格納される、又は、前記閾値が前記比較対象の格納先に格納され、
前記特定の比較読み出し命令は、前記遊技価値払出数チェック処理において使用可能であり、
前記遊技価値払出数チェック処理では、前記特定の比較読み出し命令の実行後に、演出を制御する演出制御手段に、前記特定の比較読み出し命令の実行前に更新した払出数カウンタ及びクレジットカウンタが送信され、
前記演算制御部は、前記遊技価値払出数チェック処理を前記払出数の数だけ繰り返し実行する
ことを特徴とする遊技機。
【手続補正２】
【補正対象書類名】明細書
【補正対象項目名】００１１
【補正方法】変更
【補正の内容】
【００１１】
演算制御部（例えば、後述のメインＣＰＵ１０１）、第１記憶部（例えば、後述のメインＲＯＭ１０２）及び第２記憶部（例えば、後述のメインＲＡＭ１０３）を内蔵したマイクロプロセッサを備えた遊技機であって、
前記演算制御部は、
１バイトで構成されたレジスタ（例えば、後述の汎用レジスタ）と、
入賞数カウンタ（例えば、後述の入賞枚数カウンタ）に遊技価値の払出数がセットされたことを契機として行われる遊技価値払出数チェック処理（例えば、後述のメダル払出枚数チェック処理）と、を有し、
前記第１記憶部は、前記演算制御部による制御において使用可能な、複数種の命令及び複数のデータで構成されたプログラムを記憶可能であり、
前記複数種の命令には、特定の比較読み出し命令（例えば、後述の「ＤＣＰＬＤ  （ＨＬ），ｎ」、「ＤＣＰＬＤ  （ＨＬ），ｒ」等）が含まれ、
前記特定の比較読み出し命令では、オペランドとして、命令（例えば、後述の「ＤＣＰＬＤ」）、比較対象の格納先を示す情報、及び、前記レジスタにセットされた閾値又は直値でセットされた閾値（例えば、後述の下限値）に関する情報（例えば、後述の直値ｎ又はレジスタｒ）がこの順で配置され、
前記演算制御部により前記特定の比較読み出し命令が実行されると、前記比較対象の格納先に格納されている値が前記閾値と比較され、当該比較結果に応じて、前記比較対象の格納先に格納されている値に対して特定の演算（例えば、後述の１減算）が行われ、当該演算の結果が前記比較対象の格納先に格納される、又は、前記閾値が前記比較対象の格納先に格納され、
前記特定の比較読み出し命令は、前記遊技価値払出数チェック処理において使用可能であり、
前記遊技価値払出数チェック処理では、前記特定の比較読み出し命令の実行後に、演出を制御する演出制御手段に、前記特定の比較読み出し命令の実行前に更新した払出数カウンタ及びクレジットカウンタが送信され、
前記演算制御部は、前記遊技価値払出数チェック処理を前記払出数の数だけ繰り返し実行する
ことを特徴とする遊技機。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正書】
【提出日】令和3年8月10日(2021.8.10)
【手続補正１】
【補正対象書類名】特許請求の範囲
【補正対象項目名】全文
【補正方法】変更
【補正の内容】
【特許請求の範囲】
【請求項１】
吸収性物品であって、
前後方向と、幅方向と、
吸収体と、
前記吸収体よりも非肌面側に配置されている非肌側シートと、
前記非肌側シートの非肌面上に設けられ、かつ前記吸収性物品を着用物品に直接的又は間接的に固定するための粘着部と、
前記吸収体の曲げを誘導する曲げ誘導部と、を有し、
前記曲げ誘導部は、
着用者の排泄口に対向する排泄口領域に少なくとも配置され、かつ前記吸収体の前記幅方向の中心よりも両外側において、前記吸収体の前端縁から離れた位置から後方に延びている一対の前曲げ誘導部と、
前記一対の前曲げ誘導部の間に配置されており、かつ前記排泄口領域よりも後方において前記前後方向に延びている後曲げ誘導部と、を有し、
前記後曲げ誘導部の前端縁は、前記一対の前曲げ誘導部の前端縁よりも後方に位置し、
前記一対の前曲げ誘導部の後端縁は、前記後曲げ誘導部の前記前端縁よりも後方であって、かつ前記後曲げ誘導部の後端縁よりも前方に位置する、吸収性物品。
【請求項２】
前記吸収性物品は、着用物品の非肌面側に折り返されるウイングを有し、
前記後曲げ誘導部の前記前端縁は、前記前後方向において、前記ウイングの前記前後方向の中心よりも後方に位置する請求項１に記載の吸収性物品。
【請求項３】
前記吸収性物品は、着用物品の非肌面側に折り返されるウイングを有し、
前記一対の前曲げ誘導部の前記後端縁は、前記前後方向において、前記ウイングの前記前後方向の中心から５０ｍｍ後方の位置よりも前方に位置する請求項１又は２に記載の吸収性物品。
【請求項４】
前記一対の前曲げ誘導部と前記後曲げ誘導部とが前記幅方向において重なる重複領域を有し、
前記曲げ誘導部は、第１補助曲げ誘導部を有し、
前記第１補助曲げ誘導部は、前記吸収体の前記幅方向の中心よりも前記幅方向の外側に配置され、かつ後方に向かうにつれて前記幅方向の外側へ延びており、
前記第１補助曲げ誘導部又は前記第１補助曲げ誘導部を延長した延長線は、前記重複領域において、前記後曲げ誘導部まで延びている請求項１から３のいずれか１項に記載の吸収性物品。
【請求項５】
前記曲げ誘導部は、第２補助曲げ誘導部を有し、
前記第２補助曲げ誘導部は、前記吸収体の前記幅方向の中心よりも前記幅方向の外側に配置され、かつ後方に向かうにつれて前記幅方向の内側へ延びており、
前記第２補助曲げ誘導部は、前記前曲げ誘導部の前記後端縁よりも後方に配置されている請求項１から４のいずれか１項に記載の吸収性物品。
【請求項６】
前記第２補助曲げ誘導部は、前記前曲げ誘導部よりも前記幅方向の外側に配置されている請求項５に記載の吸収性物品。
【請求項７】
前記吸収体は、液体を吸収する吸収材料を含む吸収コアを少なくとも有し、
前記前曲げ誘導部の前記幅方向における長さは、前記吸収コアの厚さ以上である請求項１から６のいずれか１項に記載の吸収性物品。
【請求項８】
前記一対の前曲げ誘導部間の前記幅方向の距離は、１０ｍｍ以上、５０ｍｍ以下である請求項１から７のいずれか１項に記載の吸収性物品。
【請求項９】
前記一対の前曲げ誘導部と前記後曲げ誘導部とが前記幅方向において重なる重複領域を有し、
前記重複領域の後側における前記一対の前曲げ誘導部間の前記幅方向の距離は、前記重複領域の前側における前記一対の前曲げ誘導部間の前記幅方向の距離よりも長い請求項１から８のいずれか１項に記載の吸収性物品。
【請求項１０】
前記吸収体は、液体を吸収する吸収材料を含む吸収コアを少なくとも有し、
前記一対の前曲げ誘導部は、前記吸収コアを厚さ方向に貫通するスリットである請求項１から９のいずれか１項に記載の吸収性物品。
【請求項１１】
前記吸収体は、液体を吸収する吸収材料を含む吸収コアを少なくとも有し、
前記吸収コアに肌面側で接合されており、かつ前記吸収体よりも肌面側に配置されている肌側シートを有し、
前記一対の前曲げ誘導部は、前記肌側シート及び前記吸収コアを覆うコアラップの少なくとも一方と共に前記吸収コアが肌面側から非肌面側へ圧搾された圧搾部であり、
前記後曲げ誘導部は、前記非肌側シート及び前記コアラップの少なくとも一方と共に前記吸収コアが非肌面側から肌面側へ圧搾された圧搾部である請求項１から１０のいずれか１項に記載の吸収性物品。
【請求項１２】
前記前曲げ誘導部の前記幅方向の長さは、前記後曲げ誘導部の前記幅方向の長さよりも長い請求項１から１１のいずれか１項に記載の吸収性物品。
【請求項１３】
前記吸収性物品を前記前後方向に折り畳むための折り目が前記幅方向に延びるように形成されており、
前記折り目は、前記一対の前曲げ誘導部と前記後曲げ誘導部とが前記幅方向において重なる重複領域と異なる位置に形成されている請求項１から１２のいずれか１項に記載の吸収性物品。
【手続補正書】
【提出日】令和2年11月16日(2020.11.16)
【手続補正１】
【補正対象書類名】特許請求の範囲
【補正対象項目名】全文
【補正方法】変更
【補正の内容】
【特許請求の範囲】
【請求項１】
遊技機の外形を構成する枠手段と、
所定の条件成立に基づき抽選を行う抽選手段と、
前記抽選手段による抽選にて特定の結果が得られた場合に利益を付与する利益付与手段と、
前記抽選手段の抽選結果に基づき所定の表示手段を用いて演出を行う演出実行手段と、
前記枠手段に設けられ、前記抽選の結果に基づき通常状態から特別動作状態へと動作可能な可動装飾手段と、を備え、
前記演出実行手段は、
前記所定の表示手段において前記可動装飾手段を模した模擬画像を用いた動的表示を表示可能であり、該動的表示を表示した後に前記可動装飾手段が動作する特別可動演出を実行可能であり、
前記特別可動演出では、前記抽選手段による抽選が前記特定の結果である場合、遊技者操作の受付に応じて前記可動装飾手段が特別発光態様とされ、遊技者操作の受付に応じて前記特別発光態様とされているときに前記可動装飾手段が前記特別動作状態にあり、前記可動装飾手段の動作制御が開始された時点でも前記動的表示に用いられた前記模擬画像は前記所定の表示手段において非表示とされずに表示された状態にあり、
前記可動装飾手段を模した模擬画像を用いた前記動的表示は、前記可動装飾手段が前記特別動作状態へ動作する前に、複数回繰り返す周期的な動的表示として表示可能であり、
前記可動装飾手段の動作制御が開始された時点でも非表示とされずに表示されている前記模擬画像は、前記可動装飾手段が前記特別動作状態から前記通常状態へと戻ったタイミング以降まで表示されていることがなく、
前記可動装飾手段の発光は前記通常状態でも前記特別動作状態でも遊技者が視認可能とされ、前記可動装飾手段の前記特別発光態様は、前記特別動作状態へと動作した前記可動装飾手段が該特別動作状態から前記通常状態へと戻るタイミングと異なるタイミングで終了可能である
ことを特徴とする遊技機。
【手続補正２】
【補正対象書類名】明細書
【補正対象項目名】０００２
【補正方法】変更
【補正の内容】
【０００２】
近年、装飾を形成する可動装飾部材を遊技機枠に設けた遊技機が知られている（例えば、特許文献１）。
【手続補正３】
【補正対象書類名】明細書
【補正対象項目名】０００３
【補正方法】変更
【補正の内容】
【０００３】
【特許文献１】特開２０１６−０９３６５５号公報
【手続補正４】
【補正対象書類名】明細書
【補正対象項目名】０００４
【補正方法】変更
【補正の内容】
【０００４】
このような遊技機では、液晶等の演出表示装置を視認する遊技者の視野の外側に可動装飾部材が位置するため可動装飾部材の演出の興趣を遊技者に十分に感じさせることができておらず、遊技興趣が低下してしまうという課題があった。
【手続補正５】
【補正対象書類名】明細書
【補正対象項目名】０００５
【補正方法】変更
【補正の内容】
【０００５】
本発明は、遊技興趣の低下を抑制可能な遊技機を提供することを目的とする。
【手続補正６】
【補正対象書類名】明細書
【補正対象項目名】０００６
【補正方法】変更
【補正の内容】
【０００６】
［手段１］に係る遊技機は、遊技機の外形を構成する枠手段と、所定の条件成立に基づき抽選を行う抽選手段と、前記抽選手段による抽選にて特定の結果が得られた場合に利益を付与する利益付与手段と、前記抽選手段の抽選結果に基づき所定の表示手段を用いて演出を行う演出実行手段と、前記枠手段に設けられ、前記抽選の結果に基づき通常状態から特別動作状態へと動作可能な可動装飾手段と、を備え、前記演出実行手段は、前記所定の表示手段において前記可動装飾手段を模した模擬画像を用いた動的表示を表示可能であり、該動的表示を表示した後に前記可動装飾手段が動作する特別可動演出を実行可能であり、前記特別可動演出では、前記抽選手段による抽選が前記特定の結果である場合、遊技者操作の受付に応じて前記可動装飾手段が特別発光態様とされ、遊技者操作の受付に応じて前記特別発光態様とされているときに前記可動装飾手段が前記特別動作状態にあり、前記可動装飾手段の動作制御が開始された時点でも前記動的表示に用いられた前記模擬画像は前記所定の表示手段において非表示とされずに表示された状態にあり、前記可動装飾手段を模した模擬画像を用いた前記動的表示は、前記可動装飾手段が前記特別動作状態へ動作する前に、複数回繰り返す周期的な動的表示として表示可能であり、前記可動装飾手段の動作制御が開始された時点でも非表示とされずに表示されている前記模擬画像は、前記可動装飾手段が前記特別動作状態から前記通常状態へと戻ったタイミング以降まで表示されていることがなく、前記可動装飾手段の発光は前記通常状態でも前記特別動作状態でも遊技者が視認可能とされ、前記可動装飾手段の前記特別発光態様は、前記特別動作状態へと動作した前記可動装飾手段が該特別動作状態から前記通常状態へと戻るタイミングと異なるタイミングで終了可能であることを特徴とする遊技機である（例えば、段落５５８１〜５６０３、５７９７〜５８２０や図５２３、図５２４、図５５５等を参照）。
【手続補正７】
【補正対象書類名】明細書
【補正対象項目名】０００７
【補正方法】変更
【補正の内容】
【０００７】
本発明によれば、遊技興趣の低下を抑制可能な遊技機を提供することができる。
【手続補正書】
【提出日】令和2年12月3日(2020.12.3)
【手続補正１】
【補正対象書類名】特許請求の範囲
【補正対象項目名】全文
【補正方法】変更
【補正の内容】
【特許請求の範囲】
【請求項１】
遊技機の外形を構成する枠手段と、
所定の条件成立に基づき抽選を行う抽選手段と、
前記抽選手段の抽選結果に基づき所定の表示手段を用いて演出を行う演出実行手段と、
前記枠手段に設けられ前記演出実行手段によって動作可能な第１の可動装飾手段と、
前記演出実行手段によって動作可能な第２の可動装飾手段と、を備え、
前記演出実行手段は、前記抽選結果に基づいて、
前記所定の表示手段において、前記第１の可動装飾手段の動作よりも前に前記第１の可動装飾手段を模した模擬画像が表示される第１の演出態様と、
前記模擬画像が表示された後に前記第２の可動装飾手段が動作する第２の演出態様と、を実行可能であり、
前記第２の演出態様においては、前記第２の可動装飾手段の動作により、前記第１の可動装飾手段を模した前記模擬画像が表示されていた位置に対して正面視で重なる位置に前記第２の可動装飾手段が位置することが可能であり、
前記第２の可動装飾手段の動作後に、前記第１の可動装飾手段が動作状態にあることが可能とされ、
前記第１の可動装飾手段の動作よりも前に表示される前記第１の可動装飾手段を模した模擬画像には、前記抽選結果が遊技者に有利な特定結果となる割合の異なる複数の態様がある
ことを特徴とする遊技機。
【手続補正２】
【補正対象書類名】明細書
【補正対象項目名】０００２
【補正方法】変更
【補正の内容】
【０００２】
近年、装飾を形成する可動装飾部材を遊技機枠に設けた遊技機が知られている（例えば、特許文献１）。
【手続補正３】
【補正対象書類名】明細書
【補正対象項目名】０００３
【補正方法】変更
【補正の内容】
【０００３】
【特許文献１】特開２０１６−０９３６５５号公報
【手続補正４】
【補正対象書類名】明細書
【補正対象項目名】０００４
【補正方法】変更
【補正の内容】
【０００４】
このような遊技機では、所定の表示手段における表示内容によって遊技の進行状態を遊技者に示すとともに、所定のタイミングで遊技機の外形を構成する枠体に設けられた可動装飾手段を動作させることが可能となっているが、可動装飾手段の演出の興趣を遊技者に十分に感じさせることができておらず、遊技興趣が低下してしまうという課題があった。
【手続補正５】
【補正対象書類名】明細書
【補正対象項目名】０００５
【補正方法】変更
【補正の内容】
【０００５】
本発明は、遊技興趣の低下を抑制可能な遊技機を提供することを目的とする。
【手続補正６】
【補正対象書類名】明細書
【補正対象項目名】０００６
【補正方法】変更
【補正の内容】
【０００６】
［手段１］に係る遊技機は、遊技機の外形を構成する枠手段と、
所定の条件成立に基づき抽選を行う抽選手段と、
前記抽選手段の抽選結果に基づき所定の表示手段を用いて演出を行う演出実行手段と、
前記枠手段に設けられ前記演出実行手段によって動作可能な第１の可動装飾手段と、
前記演出実行手段によって動作可能な第２の可動装飾手段と、を備え、
前記演出実行手段は、前記抽選結果に基づいて、
前記所定の表示手段において、前記第１の可動装飾手段の動作よりも前に前記第１の可動装飾手段を模した模擬画像が表示される第１の演出態様と、
前記模擬画像が表示された後に前記第２の可動装飾手段が動作する第２の演出態様と、を実行可能であり、
前記第２の演出態様においては、前記第２の可動装飾手段の動作により、前記第１の可動装飾手段を模した前記模擬画像が表示されていた位置に対して正面視で重なる位置に前記第２の可動装飾手段が位置することが可能であり、
前記第２の可動装飾手段の動作後に、前記第１の可動装飾手段が動作状態にあることが可能とされ、
前記第１の可動装飾手段の動作よりも前に表示される前記第１の可動装飾手段を模した模擬画像には、前記抽選結果が遊技者に有利な特定結果となる割合の異なる複数の態様がある
ことを特徴とする遊技機である（例えば、段落６０９１〜６３５１や図６０５〜６２２などを参照）。
【手続補正７】
【補正対象書類名】明細書
【補正対象項目名】０００７
【補正方法】変更
【補正の内容】
【０００７】
本発明によれば、遊技興趣の低下を抑制可能な遊技機を提供することができる。